(57)【要約】【課題】密封装置への排泄物の浸入を抑制することができるポータブルトイレを提供すること。【解決手段】インサイドカバー７０は、トイレ本体２０と便座３０と密封装置４０とを備え、便座３０の開口下方にフィルムＦの上方が開口された状態でフィルムが配置されているポータブルトイレ１０に適用される。インサイドカバー７０は、便座３０と密封装置４０との間に配置されるものであり、厚み方向に貫通し、ポータブルトイレ１０に配置された状態において便座３０の開口下方に配置される開口７２と、ポータブルトイレ１０に配置された状態において開口７２の内周側の少なくとも前側に下方に延びるようにして設けられており、フィルムの開口に入り込む入り込み部としての垂下部７４と、を備える。入り込み部の少なくとも一部は、フィルムの内周面に接触している。【選択図】図５
2019004933.tif 000002
【特許請求の範囲】
【請求項１】
上方に開口されたトイレ本体と、
前記トイレ本体の開口部の上方に配置される便座と、
前記トイレ本体の内部に配置され、前記便座の開口部を介して落ちる排泄物を筒状のフィルムの内部に収容して密封する密封装置と、
を備え、前記便座の開口下方に前記フィルムの上方が開口された状態で前記フィルムが配置されているポータブルトイレに適用されるカバーであって、
前記便座と前記密封装置との間に配置されるものであり、
厚み方向に貫通し、前記ポータブルトイレに配置された状態において前記便座の開口下方に配置されるカバー開口部と、
前記ポータブルトイレに配置された状態において前記カバー開口部の内周側の少なくとも前側に下方に延びるようにして設けられており、前記フィルムの開口部に入り込む入り込み部と、
を備え、
前記入り込み部の少なくとも一部が前記フィルムの内周面に接触している、ポータブルトイレ用カバー。
【請求項２】
前記入り込み部は、弾性変形可能に形成されている、請求項１に記載のポータブルトイレ用カバー。
【請求項３】
前記入り込み部は、前記フィルムの内周面に対して面接触する面接触部を有する、請求項１又は２に記載のポータブルトイレ用カバー。
【請求項４】
前記カバー開口部は、前記密封装置の上方を覆う板状の覆い部に形成されており、
前記覆い部の外周部に、前記覆い部の上面から上方に延びる立ち上がり部が形成されている、請求項１〜３のいずれか一項に記載のポータブルトイレ用カバー。
【請求項５】
前記ポータブルトイレに配置された状態において前側となる位置に、外縁の一部が内方に向けて凹んだ切欠き部を有する、請求項１〜４のいずれか一項に記載のポータブルトイレ用カバー。
【請求項６】
前記ポータブルトイレに配置された状態において上方からみたとき、左右の形状が非対称になっている、請求項１〜５のいずれか一項に記載のポータブルトイレ用カバー。
【請求項７】
前記入り込み部は、下方に傾斜する傾斜面を有し、該傾斜面が前記カバー開口部の内周全域に亘って設けられており、
前記ポータブルトイレに配置された状態において前側の傾斜面は、後側の傾斜面よりも、鉛直方向に対する傾斜が小さくなっている、請求項１〜６のいずれか一項に記載のポータブルトイレ用カバー。
【請求項８】
上方に開口されたトイレ本体と、
前記トイレ本体の上方に配置される便座と、
前記トイレ本体の内部に配置され、前記便座の開口部を介して落ちる排泄物を筒状のフィルムの内部に収容して密封する密封装置と、を備え、
前記便座の開口下方に前記フィルムの上方が開口された状態で前記フィルムが配置されているポータブルトイレであって、
請求項１〜７のいずれか一項に記載のポータブルトイレ用カバーが、前記便座と前記密封装置との間に設置されている、ポータブルトイレ。
【発明の詳細な説明】
【技術分野】
【０００１】
本発明は、ポータブルトイレ用カバー及び該カバーが設置されたポータブルトイレに関する。
【背景技術】
【０００２】
従来、ポータブルトイレとしては、使用者の排泄物を、便座の開口部の下方に配置された筒状のフィルムの内部に収容してフィルム内部に密封する密封装置を備えたものが知られている（例えば、特許文献１参照）。特許文献１には、筐体と、筐体の開口部を覆うように配置された便座と、筐体の内部に配置され便座の開口部から落ちる排泄物をパッケージする密封装置としてのパッケージ手段と、を備えている。パッケージ手段と便座との間には、便座の開口部の下方となる位置に開口部が形成された樹脂製のシート部材が筐体の上端部に被せられるようにして配置されている。こうしたシート部材をパッケージ手段と便座との間に配置することにより、筐体とパッケージ手段との間への尿の浸入を防止している。
【先行技術文献】
【特許文献】
【０００３】
【特許文献１】実用新案第３１６１３７６号公報
【非特許文献】
【０００４】
【非特許文献１】「ラップポン・エブリ」取扱説明書
【発明の概要】
【発明が解決しようとする課題】
【０００５】
特許文献１に記載のシート部材では、使用者が排泄した尿がシート部材の開口部の下端から前方に飛散した場合に、その飛散した尿がシート部材と筐体との間から外側に漏れ出ることが考えられる。また、筒状フィルムの内部に収容されずに外側へ漏れ出た尿が筐体の内部に入り込んで密封装置の電子部品に付着した場合、密封装置に異常を来すおそれがある。
【０００６】
本発明は上記課題に鑑みなされたものであり、密封装置への排泄物の浸入を抑制することができるポータブルトイレを提供することを一つの目的とする。
【課題を解決するための手段】
【０００７】
上記課題を解決すべく、第１の構成のポータブルトイレ用カバーは、上方に開口されたトイレ本体と、前記トイレ本体の開口部の上方に配置される便座と、前記トイレ本体の内部に配置され、前記便座の開口部を介して落ちる排泄物を筒状のフィルムの内部に収容して密封する密封装置と、を備え、前記便座の開口下方に前記フィルムの上方が開口された状態で前記フィルムが配置されているポータブルトイレに適用されるカバーである。このポータブルトイレ用カバーは、前記便座と前記密封装置との間に配置されるものであり、厚み方向に貫通し、前記ポータブルトイレに配置された状態において前記便座の開口下方に配置されるカバー開口部と、前記ポータブルトイレに配置された状態において前記カバー開口部の内周側の少なくとも前側に下方に延びるようにして設けられており、前記フィルムの開口部に入り込む入り込み部と、を備え、前記入り込み部の少なくとも一部が前記フィルムの内周面に接触していることを特徴とする。
【０００８】
上記構成においては、便座と密封装置との間に配置されるカバーの開口部の内周側に、密封装置に設けられた筒状フィルムの開口部に入り込む入り込み部を設け、入り込み部が、筒状フィルムの内側に入り込んでフィルムの内周面に接触されるようにした。このため、使用者が排泄した尿が便座の開口部の下方から前方に向かって飛散した場合にも、フィルム内周面と入り込み部との接触部分で、尿がそれ以上前方へ浸入することを抑制することができる。したがって、使用者が排泄した尿が筒状フィルムの上部から外側に漏れ出ないようにすることができ、ひいては密封装置への排泄物の浸入を抑制することができる。
【０００９】
第２の構成は、上記第１の構成において、前記入り込み部は、弾性変形可能に形成されていることを特徴とする。こうした構成によれば、入り込み部の弾性力によって、入り込み部を筒状フィルムの内周面に密着させることができる。また、筒状フィルムを長手方向に送出させる場合に、入り込み部によって筒状フィルムの動きが妨げられることを抑制することができる。
【００１０】
第３の構成は、上記第１又は第２の構成において、前記入り込み部は、前記フィルムの内周面に対して面接触する面接触部を有していることを特徴とする。こうした構成とすることにより、筒状フィルムに対する入り込み部の接触面積を大きく確保することができ、尿の浸入をより確実に抑制することができる。また、筒状フィルムに局所的に力が加わることを抑制することができる。そのため、筒状フィルムを長手方向に送出させる場合に、フィルムの送出不良が生じるのを抑制することができる。
【００１１】
第４の構成は、上記第１〜第３の構成において、前記カバー開口部は、前記密封装置の上方を覆う板状の覆い部に形成されており、前記覆い部の外周部に、前記覆い部の上面から上方に延びる立ち上がり部が形成されていることを特徴とする。ポータブルトイレ用カバーが覆い部を有することにより、下方へ向かわずに飛散した尿をその上面で受けることができる。また、覆い部の外周部に立ち上がり部が形成されていることにより、覆い部の上面に溜まった尿が外側へ漏れ出ることを抑制することができる。これにより、密封装置を被水からより確実に保護することができる。
【００１２】
第５の構成は、上記第１〜第４の構成において、前記ポータブルトイレに配置された状態において前側となる位置に、外縁の一部が内方に向けて凹んだ切欠き部を有していることを特徴とする。この場合、切欠き部の周辺を持ち上げることにより、カバーを容易に取り外すことができる。また、トイレの前側に設けられているため、カバーを取り外す際には、排泄物が付着しやすいカバー前側を上方に最初に持ち上げ、カバー開口部を通じて排泄物を筒状フィルムの中に入れることができる。これにより、カバーの上面に付着した排泄物が外に漏れ出て密封装置に付着するのを抑制することができる。
【００１３】
第６の構成は、上記第１〜第５の構成において、前記ポータブルトイレに配置された状態において上方からみたとき、左右の形状が非対称になっていることを特徴とする。こうした構成とすることにより、カバーを取り付ける際に、カバーの表と裏とを間違えないようにすることができる。
【００１４】
前第７の構成は、上記第１〜第６の構成において、前記入り込み部は、下方に傾斜する傾斜面を有し、該傾斜面が前記カバー開口部の内周全域に亘って設けられており、前記ポータブルトイレに配置された状態において前側の傾斜面は、後側の傾斜面よりも、鉛直方向に対する傾斜が小さくなっていることを特徴とする。この構成によれば、カバー開口部の内周全域に亘って入り込み部が設けられているため、排泄物の浸入をより確実に抑制することができる。また、入り込み部のうちトイレの前側については、傾きが急な下り傾斜面となっているため、入り込み部に付着した尿を速やかに下方へ誘導することができるとともに、尿の跳ね返りを抑制することができる。一方、トイレの後側については、緩やかな下り傾斜面となっているため、できるだけ前方で排泄物の浸入を抑制することができる。
【００１５】
第８の構成のポータブルトイレは、上方に開口されたトイレ本体と、前記トイレ本体の上方に配置される便座と、前記トイレ本体の内部に配置され、前記便座の開口部を介して落ちる排泄物を筒状のフィルムの内部に収容して密封する密封装置と、を備え、前記便座の開口下方に前記フィルムの上方が開口された状態で前記フィルムが配置されているポータブルトイレであって、上記第１〜第７の構成のポータブルトイレ用カバーが、前記便座と前記密封装置との間に設置されていることを特徴とする。
【００１６】
上記のポータブルトイレにおいては、便座と密封装置との間に、上記第１〜第７の構成のカバーが設けられている。このため、使用者が排泄した尿が前方に向かって飛散した場合にも、フィルム内周面と、カバーの入り込み部との接触部分で、尿がそれ以上前方へ浸入することを抑制することができる。したがって、前方に飛散した尿が筒状フィルムの上部から外側に漏れ出ないようにすることができ、ひいては、密封装置への排泄物の浸入を抑制することができる。
【図面の簡単な説明】
【００１７】
【図１】自動ラップ仕様のポータブルトイレにおいて座部を上げた状態を示す斜視図。
【図２】自動ラップ仕様のポータブルトイレにおいて便座を上げた状態を示す斜視図。
【図３】自動ラップ仕様のポータブルトイレにおいて便座を上げ、インサイドカバーを取り外した状態を示す斜視図。
【図４】ポータブルトイレの左側面図。
【図５】自動ラップ仕様のポータブルトイレの展開斜視図。
【図６】インサイドカバーの平面図。
【図７】インサイドカバーのＡ−Ａ線断面図。
【図８】自動ラップ仕様のポータブルトイレを拡大した縦断面図。
【図９】インサイドカバーの変形例を示す平面図。
【発明を実施するための形態】
【００１８】
以下、本実施形態のポータブルトイレについて図面を参照しつつ説明する。なお、以下の説明では便宜上、便座に腰掛けた使用者から見た方向を基準にして前後、左右及び上下を示している。図中に示すＦ，Ｂ，Ｒ，Ｌは、それぞれ、ポータブルトイレの前方、後方、右側、左側を表す。本実施形態のポータブルトイレは、例えば介護用であり、ベッド脇等の室内に置かれて用いられる。なお、このポータブルトイレは、介護用トイレや簡易トイレ等とも称される。
【００１９】
ポータブルトイレ１０は、上方に開口されたトイレ本体２０と、トイレ本体２０の開口部２１の上方に配置される便座３０と、便座３０の下方に配置され排泄物を受ける便受部と、を備える。ポータブルトイレ１０は、排泄物を密封する密封装置４０が便受部としてトイレ本体２０に設置され、密封装置４０によって排泄物を受ける自動ラップ仕様になっている。
【００２０】
＜トイレ本体２０＞
トイレ本体２０は、本体フレーム２２を備えている。本体フレーム２２は木製の枠体であり、図１及び図５に示すように、前板部２４、後板部２５、左板部２６及び右板部２７を備える平面視四角形の木枠である。左板部２６及び右板部２７は、前後方向に延びる長尺板材からなり、互いの板面を向き合わせた状態で左右に離間して配置されている。前板部２４及び後板部２５は、左右方向に延びる長尺板材からなり、左板部２６及び右板部２７の前方位置又は後方位置において左板部２６と右板部２７との間に架け渡されている。前板部２４及び後板部２５は、互いの板面を向き合わせた状態で前後に離間して配置されている。前板部２４、後板部２５、左板部２６及び右板部２７は、隣接する端部同士が例えば接着等により連結されており、その上端部に、上下方向に貫通する開口部２１が形成されている。
【００２１】
トイレ本体２０には、前板部２４、後板部２５、左板部２６及び右板部２７によって囲まれた空間により、便受部（ここでは密封装置４０）を収容可能な収容部２３が形成されている（図５参照）。収容部２３に密封装置４０が配置された状態において、前板部２４は、密封装置４０を前方から隠すように密封装置４０の前方に配置され、左板部２６及び右板部２７は、密封装置４０を左右方向から隠すように密封装置４０の左右それぞれに配置されている。
【００２２】
（密封装置４０）
密封装置４０は、図３及び図５に示すように、便座３０の下方に設けられ開口部４１を通過した排泄物を下方へ導くガイド部４２と、ガイド部４２の外周部に設けられ筒状のフィルムＦを収容するフィルム収容部４３と、ガイド部４２の下方に設けられ排泄物を筒状のフィルムＦの内部に収容して密封する処理部４４と、を備えている。なお、図３には、密封装置４０にフィルムＦが装着されていない状態を示している。
【００２３】
ガイド部４２は円筒状であり、下方へ縮径された形状を有している。ガイド部４２の上端部には、その外周部から外側へ延びるフランジ部４７が設けられている。フランジ部４７は、ガイド部４２の外周全域から外側へ突出しており、環状に形成されている。フランジ部４７の外端部には、上方へ延びる折り返し部４７ａが形成されている。ガイド部４２の上端の内周部によって、ガイド部４２を上下方向に貫通する開口部４１が形成されている。開口部４１の開口面積は、便座３０の開口部３０ａの開口面積よりも大きくなっている。
【００２４】
フィルム収容部４３には、筒状のフィルムＦが例えば蛇腹状に折り畳まれて収容されている。フィルム収容部４３に収容されたフィルムＦは、筒状のまま引き出し可能になっている。フィルム収容部４３から引き出されたフィルムＦは、ガイド部４２の上端部（すなわちフランジ部４７）を上方から覆い、さらにガイド部４２の内周面を覆うようにして処理部４４に導かれている。
【００２５】
処理部４４は電動式であり、フィルムＦをフィルム収容部４３から引き出して下方に導く送出機構と、筒状のフィルムＦを幅方向に熱溶着する熱溶着機構と、筒状のフィルムＦを幅方向に切断する切断機構と、を有している。フィルムＦは、例えばポリエチレン等からなる樹脂フィルムである。筒状のフィルムＦに対して熱溶着機構によりフィルム幅方向をシールすることにより、筒状のフィルムＦにおいて底が形成される。このようにして底が形成された筒状のフィルムＦの内部に、ガイド部４２から処理部４４に導かれた排泄物が収容されると、送出機構によって筒状のフィルムＦを下方に送り出し、熱溶着機構によって筒状のフィルムＦを排泄物の上方で幅方向にシールする。これにより、フィルムＦの長手方向において、排泄物を挟んで異なる２箇所においてフィルムＦがシールされ、排泄物が筒状のフィルムＦの内部に密封される。上流側のシール部分のさらに上流において、切断機構により筒状のフィルムＦをフィルム幅方向にカットすることにより、筒状のフィルムＦの内部に排泄物が収容されて密封された密封体が形成される。密封体は、処理部４４の下部に設けられた排出部４８から排出され、床面に載置されたトレイ４９で受けられる。処理部４４はこれらの一連の処理を自動で行う。
【００２６】
密封装置４０の外周部には、ガイド部４２と処理部４４との接続部分の外周から外側に延びる外板部４５が設けられている。外板部４５は、板面が上下に向けられており、より具体的には板面が水平方向に延びている。外板部４５は、本体フレーム２２の内周面に対応する形状及び大きさを有し、平面視して矩形状（より具体的には四角形状）となっている。外板部４５の前側の左角部及び右角部には、ネジを上下方向に挿通可能な貫通穴４６が形成されている。
【００２７】
本体フレーム２２の内周部には、密封装置４０の外板部４５を載置可能な載置板２８が設けられている。載置板２８は、本体フレーム２２の内周部の前側及び後側にそれぞれ配置されている。載置板２８は、左右方向に延びる長尺板状であり、左板部２６と右板部２７との間に架け渡された状態で前後にそれぞれ配置されている。載置板２８の板面は上下に向けられており、その板面が水平方向に延びている。前後の載置板２８のうち後側の載置板２８ａの上面には、密封装置４０の後端部（すなわち、外板部４５の後端部）を係止可能な係止部２９が設けられている。係止部２９は、上方へ立ち上がる立ち板部２９ａと、立ち板部２９ａの上端部から前方に向けて水平に延びる水平板部２９ｂと、を有している（図８参照）。水平板部２９ｂは、その下側の板面を載置板２８ａに向けた状態で立ち板部２９ａによって支持されている。水平板部２９ｂの下側板面、載置板２８ａの上側板面、及び立ち板部２９ａの前面によって囲まれた空間に、密封装置４０の外板部４５の後端部を前方から差し込んで引っ掛けることにより、係止部２９によって密封装置４０の後端部が係止される。
【００２８】
前側の載置板６９（図８参照）には、左右両側の角部に、密封装置４０の貫通穴４６に対応する位置に貫通穴を有するネジ止め部（図示略）がそれぞれ設けられている。載置板６９の上面に対して、密封装置４０の外板部４５の前端部を載置するとともに、本体フレーム２２及び密封装置４０の互いの貫通穴を上下方向に重ねてネジ止めすることにより、本体フレーム２２に対して密封装置４０の前端部が固定される。前後の載置板２８は、互いの上側板面が同じ高さになるように配置されている。このため、密封装置４０の前端部が載置板６９に載置されるとともに密封装置４０の後端部が載置板２８ａに載置された状態では、本体フレーム２２によって密封装置４０が水平に支持される。
【００２９】
密封装置４０を本体フレーム２２に取り付ける際には、まず、密封装置４０を収容部２３に挿入して外板部４５の後端部を係止部２９に前方から差し込み、外板部４５の後端部を係止部２９に係止させる。その後、密封装置４０の貫通穴４６を本体フレーム２２側の貫通穴と上下方向に重ね合わせてネジ止めする。これにより、本体フレーム２２によって密封装置４０が支持されるとともに、本体フレーム２２に対する密封装置４０の位置が位置決めされる。このように、収容部２３の前方位置ではネジ止めにより密封装置４０を固定し、後方位置では係止部２９に密封装置４０を引っ掛けて固定することにより、ネジ止めのみによって固定する場合に比べて密封装置４０の位置決めがしやすく、本体フレーム２２に対して密封装置４０を装着しやすくなっている。
【００３０】
＜受け板３１＞
本体フレーム２２には、本体フレーム２２の内側で尿を受ける受け板３１が取り付けられている（図３参照）。受け板３１は樹脂製の板状部材であり、外形が平面視で略四角形状となっている。受け板３１は、本体フレーム２２の開口上部を覆うように本体フレーム２２の上方に配設されている。受け板３１は「トレイ」とも称される。
【００３１】
受け板３１は、板状かつ環状に形成されたベース部３２を備えている。ベース部３２には、その内周部から上方へ延びる内側壁３４が形成されている。内側壁３４は、ベース部３２の内周全域から上方へ突出しており、環状に形成されている。内側壁３４の下端には、受け板３１を厚み方向に貫通する開口部３３が形成されている。開口部３３の開口面積は、便座３０の開口部３０ａよりも大きくなっている。図３に示すように、本体フレーム２２に受け板３１が取り付けられた状態では、ガイド部４２の上端部は開口部３３の上方へ突出しており、フランジ部４７が内側壁３４の上方を覆っている。これにより、ガイド部４２に入らず外側に飛び散った尿やガイド部４２から漏れ出た尿は受け板３１の上面で受けられる。本体フレーム２２の上部に受け板３１が取り付けられた後、密封装置４０の少なくとも下部（処理部４４及びフィルム収容部４３）が、開口部３３を通じて本体フレーム２２の内部に入れられる。このため、開口部３３の開口面積は、密封装置４０の下部を開口部３３の上方から下方に配置可能なように広く確保されている。
【００３２】
ベース部３２には、内側壁３４の外側であって受け板３１の外縁部の内側に、周方向に連続して立ち上がる外側壁３５が形成されている。外側壁３５の内壁面は、平面視してベース部３２の外縁部に沿った略四角形状である。具体的には、図３に示すように、外側壁３５は、左壁面３５ａ、右壁面３５ｂ、前壁面３５ｃ及び後壁面３５ｄを有している。右壁面３５ｂと後壁面３５ｄとは鉛直面３５ｅを介して直線的に繋がっており、左壁面３５ａと後壁面３５ｄとは、外側に凸となる湾曲面３５ｆを介して円弧状に繋がっている。前壁面３５ｃは、前方へ凸となる緩やかな弧状であり、左右方向の中央から左右両側へ向かうにつれて後方に位置している。前壁面３５ｃの左右両端部は、前壁面３５ｃよりも湾曲された弧状部分で、左壁面３５ａ及び右壁面３５ｂの前端部に繋がっている。
【００３３】
ベース部３２の上面には、内側壁３４と外側壁３５とによって挟まれた空間に環状の溝部３６が形成されている。溝部３６は上方に開放されている。この溝部３６の内部に、受け板３１の上側に漏れ出た尿を受けて溜めることが可能になっている。外側壁３５の上面３５ｇには便座３０の下面３０ｂが載置される。
【００３４】
ベース部３２の左右両側の外縁部には段差３７が設けられている。段差３７は、外側壁３５の上面３５ｇから更に上方に立ち上がる縁壁３７ａと、縁壁３７ａの上端部から外側に向けて延びる横板３７ｂと、を有している。縁壁３７ａは、左板部２６及び右板部２７の内板面よりも内側に配置されており、左板部２６及び右板部２７の上面よりも上方まで立ち上がっている。横板３７ｂは、左板部２６及び右板部２７の上面を上方から覆っている。このため、使用者が排泄した際に飛散した尿が、左板部２６及び右板部２７に付着しにくくなっている。
【００３５】
ベース部３２の前部には、下方に垂れる垂下部３８が設けられている。この垂下部３８が前板部２４の上端部を上方から覆うように受け板３１が本体フレーム２２に配設される。本実施形態では、図４に示すように、側面視して、受け板３１の前面３１ａが前板部２４の前面２４ａよりも前方に位置している。これにより、受け板３１の前面を流下した尿が前板部２４の前面２４ａに付着するのを抑制している。受け板３１が着脱可能であるため、前板部２４と受け板３１との間の隙間に尿が入り込んだ場合には、受け板３１を取り外すことによって簡単に拭き掃除することができる。
【００３６】
受け板３１の下面には、底面から下方に向かって突出するピン（図示略）が複数箇所に設けられている。各ピンが、本体フレーム２２の上面に形成されたピン穴２２ａ（図５参照）に挿入されることにより、受け板３１が本体フレーム２２に対して着脱可能に組み付けられる。受け板３１の後部には、便座３０のヒンジを取り付ける基部３９が設けられている。
【００３７】
＜便座３０＞
便座３０は、その開口部３０ａが受け板３１の開口部３３と上下に重なるように受け板３１の上方に配置される。便座３０は、後方位置に設けられたヒンジを介して受け板３１に取り付けられている。これにより、便座３０は、図１に示すように、受け板３１の上面に横向きに配置された状態と、図２に示すように、受け板３１の上方に縦向きに配置された状態との間で回動可能になっている。便座３０が横向きの状態では、便座３０の開口部３０ａの下方に、密封装置４０に装着された筒状のフィルムＦの上方が開口された状態でフィルムＦが配置されている（図１参照）。なお、便座３０の形状は、図１に示すようなＯ字状に限らず、Ｕ字状であってもよい。また、便座３０は本体フレーム２２に取り付けられていてもよい。
【００３８】
＜座部５５＞
トイレ本体２０には、便座３０の上方に重ねられて便座３０を覆う座部５５が設けられている。座部５５は、便座３０の上方に重ねられた状態で上面５６が座面として使用される。座部５５は、本体フレーム２２の後方位置で上方へ回動可能に支持されている。これにより、座部５５は、上面５６が前後方向に延びている横向きの状態と、上面５６が上下方向に延びている縦向きの状態との間で変更可能になっている。座部５５が縦向きの状態では、座部５５は、前後方向の中間位置で、上面５６を前後に向けた状態で折り畳み可能になっている（図１、図４参照）。座部５５を上方へ回動すると便座３０が露出し、トイレとしての使用状態となる。
【００３９】
＜脚体部５７＞
トイレ本体２０には、トイレ本体２０を支持する脚体部５７が設けられている。脚体部５７は、左右一対の前脚５８と、左右一対の後脚５９と、を有している。前脚５８は上下方向に延びる長尺板材からなり、互いの板面を向き合わせた状態で本体フレーム２２の前方位置に左右に離間して配置されている。また、後脚５９は上下方向に延びる長尺板材からなり、互いの板面を向き合わせた状態で本体フレーム２２の後方位置に左右に離間して配置されている。前脚５８及び後脚５９は、本体フレーム２２のうち左板部２６及び右板部２７のそれぞれの外側板面に着脱可能に取り付けられている。前脚５８及び後脚５９は、本体フレーム２２に対する取付位置を調整可能である。前脚５８及び後脚５９の本体フレーム２２に対する取付位置を調整することにより、床面に対するトイレ本体２０の高さを調整可能である。
【００４０】
図４に示すように、脚体部５７には、床面に対してポータブルトイレ１０を移動させるためのキャスタ６１が設けられている。キャスタ６１は、各後脚５９の下部において前後方向の外側に設けられている。後脚５９には、後脚５９の下端よりも上方であってトイレ本体２０の下方に、左右の後脚５９を連結する連結板６２が配設されている（図５参照）。連結板６２は、板面を前後方向に向けた状態で左右の後脚５９の間に架け渡されており、上からの荷重に対する安定性が十分に確保されている。
【００４１】
トイレ本体２０の後方位置には、着座した使用者の背中が当接される背もたれ部６３が設けられている。本実施形態では、本体フレーム２２の後部に、左板部２６及び右板部２７のそれぞれの上部から上方に延びる左右一対の支柱６４が設けられている。この一対の支柱６４の間に背もたれ部６３が架け渡されている。
【００４２】
トイレ本体２０の左右両側には、使用者の手や腕が載置される肘掛け部６５が設けられている。肘掛け部６５は、前後方向に延びる肘掛け本体６６と、肘掛け本体６６を支持する支持部６７と、を有している。支持部６７は長尺板材であり、本体フレーム２２のうち左板部２６及び右板部２７の外側板面に取り付けられている。支持部６７の上面は、肘掛け本体６６の下面に連結されている。これにより、支持部６７が肘掛け本体６６を下方から支持している。支持部６７は、本体フレーム２２に対する取付位置を調整可能であり、その取付位置を調整することによって肘掛け本体６６の高さを調整可能である。
【００４３】
＜インサイドカバー７０＞
密封装置４０と便座３０との間にはインサイドカバー７０が設けられている。ポータブルトイレ１０にインサイドカバー７０が配設されることにより、使用者が排泄した尿が密封装置４０側へ浸入するのを抑制している。インサイドカバー７０は、ポータブルトイレ１０に取り付けられる樹脂製の板状部材であり、軟質樹脂やゴム等の弾性材料により形成されている。インサイドカバー７０は、受け板３１とは別部材となっており、受け板３１に対して着脱可能に取り付けられる。なお、インサイドカバー７０に関する以下の説明では、特に説明がない場合、「前後」、「左右」及び「上下」は、ポータブルトイレ１０に取り付けられた状態のインサイドカバー７０の構成をいうものとする。
【００４４】
図６及び図７に示すように、インサイドカバー７０は、平板かつ環状に形成されたベース部７１を備えている。ベース部７１は、その板面が上下に向けられており、水平方向に延びる水平面を有している。ベース部７１には、その内周部から下方へ延びる垂下部７３が形成されている。垂下部７３は、ベース部７１の内周全域から下方へ突出しており、環状に形成されている。垂下部７３の下端（自由端）には、インサイドカバー７０を厚み方向（上下方向）に貫通する開口部７２が形成されている。ベース部７１が、密封装置４０の上方を覆う「覆い部」に相当する。開口部７２の開口面積は、便座３０の開口部３０ａよりも大きくなっている。
【００４５】
垂下部７３は、ベース部７１と一体成形されており、上部に対して下部が内側に傾斜している。具体的には、垂下部７３は、前側部分７４と後側部分７５とを有し、これらが前後方向に連続した面で繋がっている。開口部７２の周方向全体のうち、開口部７２の中心点Ｏよりも前側に前側部分７４が設けられており、中心点Ｏよりも後側に後側部分７５が設けられている。前側部分７４は、その上部において、内側に傾斜した傾斜面７４ａを有し、下端部に、下方へ凸となるように内側に曲げられた湾曲面７４ｂを有している。なお、垂下部７３は、開口部７２の内縁から少し離れた位置に設けられていてもよい。
【００４６】
後側部分７５は、上側傾斜面７５ａと下側傾斜面７５ｂとを有し、これらが弧状に繋がっている。上側傾斜面７５ａ及び下側傾斜面７５ｂは内側に傾斜している。上側傾斜面７５ａの鉛直方向に対する傾斜は下側傾斜面７５ｂよりも大きく、緩やかな傾斜となっている。一方、下側傾斜面７５ｂの鉛直方向に対する傾斜は、前側部分７４の傾斜面７４ａよりも大きいか又は略同じとなっている。垂下部７３の前側部分７４及び後側部分７５を全体でみると、前側部分７４は、後側部分７５よりも鉛直方向に対する傾斜が小さく、急な傾斜となっている。後側部分７５の下部には、下方へ凸となるように内側に曲げられた湾曲面７５ｃが設けられている。
【００４７】
ベース部７１の外縁部には、上方へ立ち上がる立ち壁７６が設けられている。立ち壁７６は、ベース部７１の外縁部の全域に亘って、周方向に連続して設けられている。立ち壁７６は、上方に起立する起立板部７６ａと、起立板部７６ａの上部から外側に延びる水平板部７６ｂと、を有している。起立板部７６ａは内側に傾斜しており、ベース部７１の上面で尿を受けやすくなっている（図７参照）。起立板部７６ａの鉛直方向に対する傾斜は、前側部分７４の傾斜と略同じである。こうした立ち壁７６により、ベース部７１の上面に尿がこぼれた場合にも、その尿がインサイドカバー７０の外側へ漏れ出てしまうことが抑制される。
【００４８】
水平板部７６ｂ（すなわち、インサイドカバー７０の外縁部）のうち少なくとも後部は、外側壁３５に対応する形状及び大きさを有している（図６参照）。具体的には、水平板部７６ｂにおいて後側の右角部７７は、鉛直面３５ｅに対応する直線状であり、後側の左角部７８は、湾曲面３５ｆに対応する円弧状となっている。これにより、水平板部７６ｂの後部及び外側壁３５の後部は全体として、受け板３１に対してインサイドカバー７０を所定位置に配置する位置決め部として機能する。また、インサイドカバー７０は、平面視して左右非対称の形状となっている。このため、インサイドカバー７０を表と裏を逆に設置した場合には、インサイドカバー７０は受け板３１に対して位置決めされず、表と裏を正しく設置した場合にインサイドカバー７０が受け板３１に対して位置決めされる。
【００４９】
水平板部７６ｂの下面は、インサイドカバー７０が受け板３１に設置された状態において、外側壁３５の上面３５ｇに当接される当接面である。水平板部７６ｂの下面が外側壁３５の上面３５ｇに当接されることにより、受け板３１によってインサイドカバー７０が支持される（図８参照）。
【００５０】
外側壁３５には、その上面３５ｇに、内側の端部から外側に凹んだ凹み部３５ｉが設けられている（図３参照）。また、立ち壁７６には、凹み部３５ｉに対応する位置に、凹み部３５ｉの内部に嵌め合い可能に外側に凹んだ凹み部７６ｃが設けられている（図２及び図６参照）。凹み部３５ｉ，７６ｃは、それぞれ左右両側に設けられており、前後方向にみて同じ位置に配置されている。インサイドカバー７０を受け板３１に設置する際には、凹み部３５ｉ，７６ｃが互いに嵌まるように上面３５ｇにインサイドカバー７０を載置する。これにより、インサイドカバー７０を取り付ける前後左右の位置が正しく位置決めされ、尿の浸入防止機能を発揮するために適切な位置にインサイドカバー７０を設置することができる。また、インサイドカバー７０が受け板３１に設置された状態では、凹み部３５ｉ，７６ｃが嵌り合った状態が保たれることにより、インサイドカバー７０の位置ずれが抑制される。
【００５１】
インサイドカバー７０の外縁部には、内側に向けて凹んだ切欠き部７９が設けられている。切欠き部７９は矩形状であり、左右両側の前側角部に形成されている。なお、切欠き部７９の形状は矩形状に限らず、例えば円弧状であってもよい。平面視したとき、切欠き部７９の外側は、溝部３６の上方に配置されている（図２参照）。これにより、切欠き部７９の周囲を指で持ち上げてインサイドカバー７０を容易に取り外すことができる。また、切欠き部７９の上方から覗き見ることにより、溝部３６を視認することができる。このため、溝部３６に溜まった尿の様子（例えば色など）を、インサイドカバー７０を取り付けたまま確認することができる。
【００５２】
＜インサイドカバー７０の作用＞
次に、インサイドカバー７０の作用について図８を参照しながら説明する。なお、図８には、図３において便座３０が下げられた状態のポータブルトイレ１０の縦断面図を示している。また、図８には、密封装置４０に装着された筒状のフィルムＦを二点鎖線で示している。
【００５３】
上述したように、ポータブルトイレ１０には、密封装置４０と便座３０との間にインサイドカバー７０が設けられている。インサイドカバー７０の垂下部７３は、少なくとも下側部分が、密封装置４０の開口部４１の内部、すなわち筒状のフィルムＦの開口部Ｐに入り込んでいる。また、垂下部７３において、開口部Ｐに入り込んでいる部分は、その少なくとも一部の下面が、ガイド部４２の上部（より具体的には、フランジ部４７の上面）に、フィルムＦを介して当接している。これにより、垂下部７３の少なくとも一部は、密封装置４０に装着された筒状のフィルムＦの内周面に接触している。本実施形態では、垂下部７３の下端部の下面（すなわち、湾曲面７４ｂ、７５ｃの下面）が筒状のフィルムＦの内周面に面接触している。
【００５４】
ここで、使用者から排泄される尿Ｗが前方に向かって飛散することがある。こうした尿Ｗは、密封装置４０の上端部よりも下方において垂下部７３とフィルムＦの内周面とが接触していることにより、その接触部分で、尿Ｗがそれ以上前方へ浸入することが抑制される。このようにして、上記の止水構造では、前方に飛散した尿Ｗを、筒状のフィルムＦの上部から外側に漏れ出ないようにすることができる。
【００５５】
また、インサイドカバー７０は弾性部材により形成されており、垂下部７３は弾性変形可能である。このため、垂下部７３の弾性力よって、密封装置４０に装着された筒状のフィルムＦの内周面に垂下部７３を密着させることができる。また、垂下部７３が弾性変形可能であるため、筒状のフィルムＦをガイド部４２の外側から内側へ向かってフィルム長手方向に送出させる際に、フィルムＦの動きを妨げにくい。図８中の矢印Ｄは、フィルムＦの送出方向を表す。これにより、フィルムＦの送り出しを妨げないようにしつつ、密封装置４０への尿の浸入を十分に抑制することができる。なお、垂下部７３が「入り込み部」に相当し、湾曲面７４ｂ、７５ｃが「面接触部」に相当する。
【００５６】
以上詳述した本実施形態によれば、次の優れた効果が得られる。
【００５７】
インサイドカバー７０の内周部には垂下部７３が設けられているため、使用者が排泄した尿が前方に向かって飛散した場合にも、筒状のフィルムＦの内周面と垂下部７３との接触部分で、尿がそれ以上前方へ入り込むのを抑制でき、前方に飛散した尿が筒状フィルムの上部から外側に漏れ出ないようにすることができる。これにより、密封装置４０への尿の浸入を抑制することができる。
【００５８】
弾性材料によりインサイドカバー７０を形成することによって、垂下部７３が弾性変形可能であるようにした。そのため、垂下部７３の弾性力によって、垂下部７３を筒状のフィルムＦの内周面に密着させることができ、尿がより入り込みにくくすることができる。また、フィルムＦをフィルム長手方向に送出させる場合に、垂下部７３によってフィルムＦの移動が妨げられることを抑制することができる。
【００５９】
また、垂下部７３が、筒状のフィルムＦの内周面に対して面接触しているため、筒状フィルムＦに対する垂下部７３の接触面積を大きく確保することができる。これにより、尿の浸入をより確実に抑制することができる。また、フィルムＦに局所的に力が加わることを抑制することができ、フィルムＦを長手方向に送出させる場合に送出不良が生じるのを抑制することができる。
【００６０】
インサイドカバー７０の外縁部に立ち壁７６を設けたため、ベース部７１の上面に尿が付着した場合にも、その付着した尿がインサイドカバー７０の外側へ漏れ出てしまうことを抑制することができる。これにより、インサイドカバー７０の内周側から密封装置４０への尿の浸入に加え、インサイドカバー７０の外周側から密封装置４０への尿の浸入についても抑制することができる。
【００６１】
インサイドカバー７０の前側の外縁部に切欠き部７９を設けたため、切欠き部７９の周辺を持ち上げることによって、弾性材料で形成され受け板３１に密着したインサイドカバー７０を容易に取り外すことができる。また、ポータブルトイレ１０の前側に設けられているため、インサイドカバー７０を取り外す際には、排泄物が付着した前側をまず最初に上方に持ち上げ、開口部７２を通じて尿を筒状のフィルムＦの中に入れることができる。これにより、インサイドカバー７０を取り外す際に、その上面に付着した尿が外に漏れ出てしまうことを抑制することができる。
【００６２】
インサイドカバー７０の外縁部につき、後側の右角部７７を、鉛直面３５ｅに対応する直線状とし、後側の左角部７８を、湾曲面３５ｆに対応する円弧状とすることにより、左右の形状が非対称となるようにした。インサイドカバー７０は受け板３１とは別部材であるため、ユーザが設置することが想定されている。この点、上記構成とすることにより、インサイドカバー７０を取り付ける際に、カバーの表と裏とを間違えないようにすることができる。また、受け板３１の後部とインサイドカバー７０の後部との形状を合わせてインサイドカバー７０を設置すればよいため、使用者にとってインサイドカバー７０の表裏が分かりやすい。
【００６３】
ベース部７１の内周全域に亘って垂下部７３が設けられているため、密封装置４０の内側から外側へ尿が漏れ出ることをより確実に抑制することができる。また、垂下部７３のうち前側部分７４については、傾きが急な下り傾斜面となっているため、垂下部７３に付着した尿を速やかに下方へ誘導することができるとともに、尿の跳ね返りを抑制することができる。一方、後側部分７５については、緩やかな下り傾斜面となっているため、できるだけ前方で排泄物の浸入を抑制することができる。
【００６４】
（他の実施形態）
本発明は上記内容に限定されず、例えば以下のように実施されてもよい。
【００６５】
・上記実施形態では、インサイドカバー７０の垂下部７３がベース部７１と一体成形されているが、垂下部７３がベース部７１とは別部材により構成されていてもよい。例えば、インサイドカバー７０が、開口部を有する板状のベース部材と、下方に延びた形状を有する垂下部材とを別部材として有し、ベース部材の内周部に対して、垂下部材の外周部を係合させる構成としてもよい。
【００６６】
・インサイドカバー７０のベース部７１が水平面を有する構成としたが、水平面に代えて、内側に傾斜する傾斜面を有していてもよい。
【００６７】
・インサイドカバー７０に切欠き部７９を設けたが、切欠き部７９を設けなくてもよい。また、切欠き部７９を設ける場合、その切欠き部７９の位置及び数は特に限定されない。例えば、切欠き部７９をインサイドカバー７０の後部に設けてもよく、左右両側のうち少なくとも一方の外周部に設けてもよい。また、切欠き部７９を１個のみ設けてもよく、３個以上としてもよい。
【００６８】
・インサイドカバー７０の外形は上記実施形態のものに限定されない。インサイドカバー７０が左右非対称である場合、その外形としては、例えば、後側の右角部７７を円弧状とし、後側の左角部７８を直線状としてもよい。また、後側の左右両側の角部を、互いに曲率が異なる円弧状としてもよい。また、インサイドカバー７０を左右非対称とする構成に代えて、左右対称としてもよい。例えば、図６に示すインサイドカバー７０において、後部の右角部７７及び左角部７８の形状を共に円弧状としたり、あるいは、右角部７７及び左角部７８の形状を共に直線状としたりしてもよい。インサイドカバー７０の形状を左右対称とする場合、例えばインサイドカバー７０の表と裏の向きを示す表示部を設けることにより、使用者が表と裏を間違えないようにすることができる。
【００６９】
・上記実施形態では、ベース部７１の内周全域に亘って垂下部７３を設けたが、垂下部７３は、ベース部７１の内周部の少なくとも前側に設けられていればよく、ベース部７１の内周全域のうち一部の領域のみに垂下部７３が設けられていてもよい。具体的には、例えば図９（ａ）に示すように、ベース部７１の内周全域のうち、前側半分の領域のみに垂下部７３が設けられていてもよい。あるいは、図９（ｂ）に示すように、ベース部７１の内周全域のうち、左右方向の中央を含む前側の所定角度（例えば、９０°〜１５０°程度）の範囲の領域のみに垂下部７３が設けられていてもよい。
【００７０】
・上記実施形態では、垂下部７３が、内側に傾斜する傾斜面を有する構成としたが、垂下部７３が鉛直方向に延びる鉛直面を有していてもよい。また、垂下部７３は、筒状のフィルムＦの内周面に接触するように下方に延びる形状を有していればよく、上記実施形態の形状に限定されない。例えば、前側部分７４の傾斜面７４ａが、鉛直方向に対する傾斜が異なる複数の傾斜面により構成されていてもよい。また、前側部分７４及び後側部分７５が、鉛直方向に対する傾斜が同じ傾斜面を有していてもよい。
【００７１】
・インサイドカバー７０の外周部に、上方へ立ち上がる立ち壁７６を設けたが、立ち壁７６を設けず、インサイドカバー７０の外周部が平坦面により構成されていてもよい。また、インサイドカバー７０の外周部に、位置決め部としての凹み部７６ｃを設けない構成としてもよい。
【００７２】
・インサイドカバー７０の全体を弾性材料により形成したが、垂下部７３を含む一部の部分のみを弾性材料により形成してもよい。例えば、インサイドカバー７０のうちベース部７１を硬質樹脂により形成し、垂下部７３を軟質樹脂やゴム等の弾性材料により形成し、少なくとも垂下部７３について弾性変形可能としてもよい。
【００７３】
・上記実施形態では、トイレ本体２０や脚体部５７を木製としたが、これらを樹脂製とし、ポータブルトイレが全体として樹脂製として構成されていてもよい。
【００７４】
・トイレ本体２０に設置される受け部として、板状部材である受け板３１に代えて、便受部を収容可能な大きさを有する例えば箱型の有底容器を用いてもよい。
【符号の説明】
【００７５】
１０…ポータブルトイレ、２０…トイレ本体、２４…前板部、３０…便座、３０ａ…開口部、３１…受け板、３３…開口部、４０…密封装置（便受部）、４１…開口部、４２…ガイド部、５５…座部、５７…脚体部、６３…背もたれ部、６５…肘掛け部、７０…インサイドカバー、７２…開口部、７３…垂下部（入り込み部）、７６…立ち壁、７９…切欠き部、Ｆ…フィルム、Ｗ…尿。
【図１】
2019004933.tif 000003
【図２】
2019004933.tif 000004
【図３】
2019004933.tif 000005
【図４】
2019004933.tif 000006
【図５】
2019004933.tif 000007
【図６】
2019004933.tif 000008
【図７】
2019004933.tif 000009
【図８】
2019004933.tif 000010
【図９】
2019004933.tif 000011